(57)【要約】【課題】  容易に電波オフモードとすることを可能であるだけではなく、他の人が容易に電波オフモードであることを知ることが可能な携帯電話装置を提供する。【解決手段】  接続コネクタ１６の端子１５が接地されたと判定している（接続コネクタ１６にプラグが挿入されたと判定している）と、制御回路１１は、電話通信部１とベースバンド部３への電源供給を禁止或いは、電話通信部１とベースバンド部３への電源は供給しているが、これらの回路の駆動を禁止する。【選択図】  図１
2006253802.tif 000002
【特許請求の範囲】
【請求項１】
無線信号の送受信を行う送受信手段と、外部装置と接続する為のコネクタと、制御手段と、を有し、
前記制御手段は、前記コネクタにプラグが接続されたと判定すると、前記送受信手段の送信及び／又は受信を禁止するように制御することを特徴とするプラグを接続可能な通信装置。
【請求項２】
請求項１の通信装置であり、前記プラグには、送受信手段の送信及び／又は受信を禁止している状態であることを示す表示が施されていることを特徴とするプラグを接続可能な通信装置。
【請求項３】
無線信号の送受信を行う送受信手段と、外部装置と接続する為のコネクタと、制御手段と、を有し、
前記制御手段は、前記コネクタにプラグが接続されたと判定すると、前記送受信手段の少なくとも送信を禁止するように制御することを特徴とするプラグを接続可能な通信装置。
【発明の詳細な説明】
【技術分野】
【０００１】
本発明は、携帯電話装置等の、プラグを接続可能な通信装置に関する。
【背景技術】
【０００２】
携帯電話の爆発的な普及により、あらゆる場所でユーザが携帯電話を使用する姿を見掛けるようになった。その使用場所は、歩道、喫茶店、駅のホーム、車内と様々である。
このように、携帯電話は、電波の届く場所であればどのような場所でも通話ができるという利便性を有する半面、他の人に迷惑をかけることがしばしばある。
例えば、映画館で携帯電話を使用する場合には、上映中に着信音が鳴ることにより他人に迷惑をかけてしまう。又、病院で使用する場合には、他の人がうるさいと感じるだけでなく、医療機器が誤動作を起こす可能性もあり、最悪の場合、生命にかかわる問題が生じることとなる。更に、車内で使用する場合には、病院での使用と同様に、他の人がうるさいと感じるだけでなく、例えばペースメーカを使用しているユーザが近くにいる場合には、ペースメーカを誤動作させる危険もある。
このような問題を回避するために、ユーザは予め電源を切っておくか、マナーモードに設定する必要がある。前記マナーモードとは、着信時に着信音を出力しない機能であり、例えば、特許文献１にて提案されている。
【０００３】
又、キー操作により電源オフせずに、電波送信を禁止することが考えられる。このような場合、電波送信を禁止しているだけであるので、携帯電話で電話帳を見たり電卓やメモ帳の様な様々のアプリケーションやゲームを楽しんだりすることが可能である。
【特許文献１】特開２０００−５０３５３号公報
【発明の開示】
【発明が解決しようとする課題】
【０００４】
確かに、電波送信を禁止する状態にすると、病院内で医療機器を誤動作させたり、近隣のペースメーカ所持者に対して迷惑をかけるといったことは回避できる。しかしながら、携帯電話の送信機能を禁止しているとは言え、はたから見れば、ただ単に携帯電話を使用しているようにしか見えず、ユーザは、ユーザ以外の人から反感を買う或いは携帯電話を使用しないで下さいと注意されることが予想される。
【課題を解決するための手段】
【０００５】
本発明はこのような課題を解決する為のものであり、容易に電波送信を禁止する状態とすることが可能であると共に、他の人に容易に電波送信を禁止している状態であることを知らせるものである。
請求項１記載のプラグを接続可能な通信装置は、無線信号の送受信を行う送受信手段と、外部装置と接続する為のコネクタと、制御手段と、を有し、前記制御手段は、前記コネクタにプラグが接続されたと判定すると、前記送受信手段の送信及び／又は受信を禁止するように制御することを特徴とするプラグを接続可能である。
請求項２記載のプラグを接続可能な通信装置は、請求項１の通信装置であり、前記プラグには、送受信手段の送信及び／又は受信を禁止している状態であることを示す表示が施されていることを特徴とする。
請求項３記載のプラグを接続可能な通信装置は、無線信号の送受信を行う送受信手段と、外部装置と接続する為のコネクタと、制御手段と、を有し、前記制御手段は、前記コネクタにプラグが接続されたと判定すると、前記送受信手段の少なくとも送信を禁止するように制御することを特徴とする。
【発明の効果】
【０００６】
請求項１にかかる発明においては、ユーザが容易に、携帯電話の送信又は受信機能を禁止することができるという効果を奏する。
【０００７】
請求項２にかかる発明においては、ユーザ以外の人がプラグの表示を見るだけで、容易に携帯電話が送信又は受信機能を禁止している状態であることを知ることが可能であるので、ユーザが、病院内などで送信機能を禁止している状態であるにもかかわらず、他人から反感を買ったり注意を受けたりすることを回避することが可能である。
【０００８】
請求項３にかかる発明においては、ユーザが容易に、携帯電話の送信機能を禁止することができるという効果を奏する。
【発明を実施するための最良の形態】
【０００９】
図１は本実施例である通信装置のブロック図である。又、図２は本実施例である通信装置と該通信装置に着脱可能なプラグ１８を示す。斜視図である。更に、図３は、通信装置のコネクタ１６とプラグ１８の各端子を説明する図である。本実施例装置である通信装置（例えば、携帯電話装置）では、図２に示すように、携帯電話装置本体に通信停止と表示されているプラグ１８が挿入されると、携帯電話装置の送信及び／又は受信機能を禁止すると共に、他の機能、例えば、電話帳機能やゲーム機能や音楽再生機能等は実行することができる状態にするものである。
【実施例】
【００１０】
図１は、本発明を適用してなる実施例装置である通信装置（例えば、携帯電話装置）のブロック図である。
図１において、通信部１は、後述するベースバンド部３からの信号をアンテナ２を介して基地局へ発信したり、アンテナ２を介して基地局からの電波を受信したりする。
ベースバンド部３は、ＣＤＭＡ（Ｃｏｄｅ  Ｄｉｖｉｓｉｏｎ  Ｍｕｉｔｉｐｌｅ  Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。又、制御回路１１は、時刻を計時する機能も備えている。
第２格納部１３は、例えばＳＲＡＭ（Ｓｔａｔｉｃ  Ｒａｎｄｕｍ  Ａｃｃｅｓｓ  Ｍｅｍｏｒｙ）からなり、相手側の電話番号と名称を複数格納可能である。
表示部１４は、電話番号や相手先の氏名等を表示する。
入力部１５は、通話キー、切キー、テンキー、電源キー等からなる。
接続コネクタ１６は、充電或いは通信を行う為のコネクタであり、充電を行う際には、前記接続コネクタ１６に充電用のプラグ１８が挿入され、通信を行う際には、例えばパソコンと携帯電話装置を接続する為のプラグ１８が前記接続コネクタ１６に挿入される。又、前記接続コネクタ１６には、後述する、携帯電話装置の状態を、電波送信を禁止するがそれ以外の機能を実行可能とする状態（以下、電波オフモードと称す）にする為のプラグ１８が挿入される。
尚、上記プラグ１８は、例えば、ＤＤＩセルラーグループ、日本移動通信（株）が策定した、ＣＤＭＡセルラーホン、セルラーホン共通仕様書に記載され、規格されているコネクター、「ＣＤＭＡ−ＯＮＥ  ＮＣ−Ｒ１−１８」である。
【００１１】
バイブレータ１７は、携帯電話１００を振動させる為のモータと振動部（図示せず）とを有する。
図２は、前記接続コネクタ１６にプラグ１８を挿入した際の携帯電話１００の斜視図である。
図２において、携帯電話１００は、アンテナ２、表示部１４、入力部１５、接続コネクタ１６を有しており、前記接続コネクタ１６にプラグ１８を挿入することにより、携帯電話１００を電波オフモードとすることが可能である。
又、前記プラグ１８の表面には、例えば、通信停止と大きく記載されている。この為、他の人は、携帯電話が電波オフモードであることを容易に知ることができる。
図３は、前記接続コネクタ１６とプラグ１８の接続形態図である。
図３において、１〜１８は、端子番号を示している。又、図３に示す破線は、コネクタ１６の端子と、プラグ１８の端子が接続可能であることを示している。
端子１（接地）は、接地端子であり、携帯電話１００側でグランドへと接地されている。端子２（送信音声信号）は、携帯電話１００からプラグ１８へ向けてアナログ音声を出力する為の端子である。
端子３（ＣＣ）は、プラグ１８から携帯電話１００へ、プラグ１８が携帯電話１００へ接続されたことを通知する為の端子である。端子４（受信音声信号）は、プラグ１８から携帯電話１００へアナログ音声を出力する為の端子である。
【００１２】
端子５（ＣＦ）は、データ通信時にＰＰＰ（Ｐｏｉｎｔ  ｔｏ  Ｐｏｉｎｔ  Ｐｒｏｔｏｃｏｌ）を再確立しなければならないことをプラグ１８から携帯電話１００へ知らせる為の端子である。尚、前記ＰＰＰは、シリアルラインを用いて通信する為の物理層／データリンク層のプロトコルである。
端子６（ＢＡ）は、データ通信時における上り（プラグ１８から携帯電話１００へ）データ用の端子である。端子７（ＣＢ）は、上りデータを制御する為の端子である。
【００１３】
端子８（制御信号１）は、端末等から携帯電話１００を操作する信号を受信する為の端子である。携帯電話１００からプラグ１８へ）データを送信する為の端子である。
【００１４】
端子１０（制御信号２）は、端末等から携帯電話１００を制御する信号を受信する為の端子である。
端子１１（上りシリアル）は、携帯電話１００からプラグ１８にシリアル信号を送信する為の端子である。
【００１５】
端子１２（ＣＥ）は、データ通信時にＭＴＸを制御する信号をプラグ１８から携帯電話１００側へ送信する為の端子である。尚、前記ＭＴＸとは、モデムカード等のデータ通信オプションを示す。
端子１３（下りシリアル信号）は、プラグ１８から携帯電話１００へシリアル信号を送信する為の端子である。端子１４（ＣＤ）は、データ通信用のＭＴＸの接続を検出するための信号を携帯電話１０
０からプラグ１８へ送信する為の端子である。
端子１５（電源）は、電波オフモードとする為のプラグ１８が接続されたことを示す信号を送信する為の端子である。
端子１６（空き）は、空き端子である。端子１７（ＣＪ）は、データ通信時に下りデータを制御する信号を携帯電話１００からプラグ１８へ送信する為の端子である。端子１８（接地）は、接地されている。
尚、接続コネクタ１６の端子１５に対応するプラグ１８の端子は、プラグ１８の内部にて接地されている。
次に、本実施例装置の動作について以下に説明する。
先ず、接続コネクタ１６にプラグ１８が接続されていない状態では、制御回路１１は、接続コネクタ１６の端子１５に例えば１．５ボルトの電圧を供給している。前記接続コネクタ１６にプラグ１８が挿入されると、接続コネクタ１６の端子１５に対応するプラグ１８の端子が接地されている為、接続コネクタ１６の端子１５が接地される。前記制御回路１１は、接続コネクタ１６の端子１５が接地されたと判定すると、電波オフ状態とする。尚、前記電波オフとは、例えば、電話通信部１及びベースバンド部３への電源供給を禁止する状態であり、電波の送信を禁止する状態であれば電源供給を禁止する対象はこれに限定されるものではない。又、電話通信部１及びベースバンド部３への電源を供給しているが、電話通信部１とベースバンド部３の駆動を停止させている状態としても良い。
以上説明したように、本実施例装置では、接続コネクタ１６にプラグ１８を挿入すると、自動的に電波オフモードとなるため、ユーザは一々電波オフモードを実行する為の操作を行う必要がない。
又、プラグ１８の表面には通信停止と大きく記載されている為、他の人は、携帯電話が電波オフモードであることを容易に知ることができる。
尚、本実施例では、携帯電話装置について実施したが、ＰＨＳ（Ｐｅｒｓｏｎａｌ  Ｈａｎｄｙｐｈｏｎｅ  Ｓｙｓｔｅｍ）等の他の通信装置においても実施可能である。
【００１６】
又、電波オフモードとは、電波の送信を禁止する状態と定義したが、電波の送信及び受信を禁止する状態としても良い。
【００１７】
本発明では、容易に電波オフモードとすることを可能であるだけではなく、他の人が容易に電波オフモードであることを知ることが可能である。
【図面の簡単な説明】
【００１８】
【図１】本発明を適用してなる実施例装置のブロック図である。
【図２】本実施例装置の斜視図である。
【図３】プラグ１８と接続コネクタ１６の接続形態図である。
【符号の説明】
【００１９】
８  スピーカ
１１  制御回路
１３  第２格納部
１５  入力部
１６  接続コネクタ
１７  バイブレータ
１８  プラグ
【図１】
2006253802.tif 000003
【図２】
2006253802.tif 000004
【図３】
2006253802.tif 000005